(57)【要約】【課題】仕上面材の柱廻りや建具廻りなどの複雑な端尺部分の切断位置を熟練工でなくても誰でも簡単に罫書きすることができる仕上面材切断位置罫書具、及びそれを用いた仕上面材の施工方法を提供する。【解決手段】定尺寸法が決まった仕上面材の端尺部分の切断位置を罫書きするための仕上面材切断位置罫書具１において、筐体２０に設けられた可動スペース内に長さが均一な複数の棒材２２又は板材が突没自在に並列された真弧部２と、前記仕上面材の角に位置合せを行う際の目印となる位置合せ部３と、真弧部２と位置合せ部３との間を長さ調整自在かつ角度調整自在に接続する接続手段４と、を設ける。【選択図】図１
2019085722.tif 000002
【特許請求の範囲】
【請求項１】
定尺寸法が決まった仕上面材の端尺部分の切断位置を罫書きするための仕上面材切断位置罫書具であって、
筐体に設けられた可動スペース内に長さが均一な複数の棒材又は板材が突没自在に並列された真弧部と、前記仕上面材の角に位置合せを行う際の目印となる位置合せ部と、前記真弧部と前記位置合せ部との間を長さ調整自在かつ角度調整自在に接続する接続手段と、を備えること
を特徴とする仕上面材切断位置罫書具。
【請求項２】
前記接続手段は、帯状の板材又は棒材からなる第１腕部と、第２腕部とを有し、これらの第１腕部と第２腕部とが、スライド自在かつ角度調整自在に軸着されており、
前記第１腕部は、前記位置合せ部に、前記第２腕部は、前記真弧部に、それぞれ角度調整自在に軸着されていること
を特徴とする請求項１に記載の仕上面材切断位置罫書具。
【請求項３】
前記第１腕部と前記第２腕部は、長さ方向に沿って形成されたスリットをそれぞれ有し、これらのスリット間に挿通された蝶ボルト又は蝶ナットでボルト止めされることにより、前記第１腕部と前記第２腕部とが、スライド自在かつ角度調整自在に軸着されていること
を特徴とする請求項２に記載の仕上面材切断位置罫書具。
【請求項４】
定尺寸法が決まった複数の仕上面材を並設して施工する仕上面材の施工方法であって、
請求項１ないし３のいずれかに記載の仕上面材切断位置罫書具を用いて、
既設の前記仕上面材の所定位置に前記位置合せ部を合せるとともに、前記仕上面材を並設する際の障害となる障害物に前記真弧部の複数の前記棒材又は前記板材を押し当てて前記障害物の形状を象ったうえ、前記接続手段を固定し、
前記仕上面材切断位置罫書具を移動して、前記位置合せ部を前記仕上面材の一角に合せて前記真弧部に象った形状を前記仕上面材に卦書きし、前記仕上面材の端尺部分を切断すること
を特徴とする仕上面材の施工方法。
【発明の詳細な説明】
【技術分野】
【０００１】
本発明は、タイルカーペットやＰタイルなどの床仕上材、又はロックウール吸音板（岩綿吸音板）などの天井仕上材等の定尺寸法が決まった仕上面材の端尺部分の切断位置を罫書きするための仕上面材切断位置罫書具、及びそれを用いた仕上面材の施工方法に関するものである。
【背景技術】
【０００２】
タイルカーペットやＰタイルなどの床仕上材は、５００ｍｍ角や３００ｍｍ角などの定尺寸法が決まっている。また、天井仕上材なども同様に定尺寸法が決まっている。そして、それらの定尺な仕上面材は、室内の中央から壁などの端に向けて割り付けられ、コンクリートやモルタル、又はＯＡフロアなどの下地材の上に貼っていくこととなる。このため、壁際、柱廻り、建具廻り、パイプスペース廻りなどの障害物がある室内の端の部分においては、定尺寸法の仕上面材を貼着することができず、障害物に合せて切断した端尺の仕上面材が貼着されている。
【０００３】
このとき、建築物は、設計図通りに正確な寸法通りに建造することは極めて困難である。このため、仕上面材の端尺部分は、適宜中央から割り付けた際の残りの寸法を、柱などの障害物との各位置の距離を採寸して切断しなければ、仕上げに隙間ができてしまうという問題が発生する。その上、仕上面材自体にも厚みがあるため、障害物との距離を正確に測ることが困難であるという問題があった。
【０００４】
熟練工であれば、仕上面材の厚みを考慮した上、障害物との距離を定規やスケールで斜めに採寸する際の誤差や、仕上面材に罫書く際の誤差、実際に切断する際の誤差等を加味して作業することが可能である。しかし、熟練工が高齢化で減少している上、改修作業では、複数の作業を一人の作業員がこなさなければならないという問題もあり、熟練工でなくても端尺部分の採寸を正確かつ確実に行える仕上面材切断位置罫書具が切望されている。
【０００５】
例えば、特許文献１には、向い合う２本の横リンク片（４）（６）の両端に、向い合う２本の縦リンク片（８）（１０）の両端がそれぞれ回転自在に枢支され、横リンク片（４）（６）と縦リンク片（８）（１０）とで平行四辺形が形成され、向い合う２本の横リンク片（４）（６）の外側縁部（４ａ）（４ｂ）に互いに平行な定規面が形成された平行線引き定規（２）が開示されている（特許文献１の特許請求の範囲の請求項１、明細書の段落［０００５］〜［００１５］、図面の図１〜図５等参照）。
【０００６】
しかし、特許文献１に記載の平行線引き定規は、比較的採寸し易い傾斜した壁際の端尺部分には適用できるものの、柱廻り、建具廻り、パイプスペース廻りなどの複雑な端尺部分の罫書きや切断には適用することができないという問題があった。
【０００７】
また、特許文献２には、滑止め帯（Ｎ）の前縁部（Ｎａ）及び後縁部（Ｎｂ）を挟持することで段差部へ取付可能なクランプ体（２）と、このクランプ体（２）により滑止め帯（Ｎ）の前方でその長手方向に平行する方向に支持された整列用レール（３）と、を備え、整列用レール（３）の後面に段差部の踏面（ＦＬ）上へ載せられる板材（ＰＢ）の当接整列面（３ａ）が形成されている板材の切断用ゲージ（１）が開示されている（特許文献２の特許請求の範囲の請求項２、明細書の段落［００１４］〜［００３０］、図面の図１、図２等参照）。
【０００８】
しかし、特許文献２に記載の板材の切断用ゲージ（１）は、Ｐタイルなどの板材を、階段の段部に貼り付ける際の切断用ゲージであり、特許文献１に記載の平行線引き定規と同様に、柱廻り、建具廻り、パイプスペース廻りなどの複雑な端尺部分の罫書きや切断には適用することができないという問題があった。
【０００９】
そして、特許文献３には、凸面形状の湾曲面となった２つの型付けローラを有し、床面から壁面に跨がって敷かれたシート状床材をほぼ型付けローラの湾曲面に沿った型付け状態にするとともに、これらの型付けローラが床面および壁面との間でシート状床材の一部を挟みつつ、壁面に沿って転動し、この転動に伴って２つの型付けローラ間に設けられたカッターによってシート状床材を切断するシート状床材のカッター装置が開示されている（特許文献３の特許請求の範囲の請求項１、明細書の段落［００１７］〜［００３０］、図面の図１、図２、図５等参照）。
【００１０】
しかし、特許文献３に記載のシート状床材のカッター装置は、ある程度柔軟性のあるシート状床材にしか適用できず、Ｐタイルなどの硬質の床材や天井材には適用できないという問題があった。その上、床材は、壁や建具等を仕上げてから施工することが通常であり、特許文献３に記載のシート状床材のカッター装置では、仕上がった壁材や巾木、床材等を損傷するおそれもあった。
【先行技術文献】
【特許文献】
【００１１】
【特許文献１】特開平１０−２５８５９８号公報
【特許文献２】特開平９−４２０９号公報
【特許文献３】特開２００６−１５８５５８号公報
【発明の概要】
【発明が解決しようとする課題】
【００１２】
そこで、本発明は、前述した問題に鑑みて案出されたものであり、その目的とするところは、仕上面材の柱廻りや建具廻りなどの複雑な端尺部分の切断位置を熟練工でなくても誰でも簡単に罫書きすることができる仕上面材切断位置罫書具、及びそれを用いた仕上面材の施工方法を提供することにある。
【課題を解決するための手段】
【００１３】
請求項１に係る仕上面材切断位置罫書具は、定尺寸法が決まった仕上面材の端尺部分の切断位置を罫書きするための仕上面材切断位置罫書具であって、筐体に設けられた可動スペース内に長さが均一な複数の棒材又は板材が突没自在に並列された真弧部と、前記仕上面材の角に位置合せを行う際の目印となる位置合せ部と、前記真弧部と前記位置合せ部との間を長さ調整自在かつ角度調整自在に接続する接続手段と、を備えることを特徴とする。
【００１４】
請求項２に係る仕上面材切断位置罫書具は、請求項１に記載の仕上面材切断位置罫書具において、前記接続手段は、帯状の板材又は棒材からなる第１腕部と、第２腕部とを有し、これらの第１腕部と第２腕部とが、スライド自在かつ角度調整自在に軸着されており、前記第１腕部は、前記位置合せ部に、前記第２腕部は、前記真弧部に、それぞれ角度調整自在に軸着されていることを特徴とする。
【００１５】
請求項３に係る仕上面材切断位置罫書具は、請求項２に記載の仕上面材切断位置罫書具において、前記第１腕部と前記第２腕部は、長さ方向に沿って形成されたスリットをそれぞれ有し、これらのスリット間に挿通された蝶ボルト又は蝶ナットでボルト止めされることにより、前記第１腕部と前記第２腕部とが、スライド自在かつ角度調整自在に軸着されていることを特徴とする。
【００１６】
請求項４に係る仕上面材の施工方法は、定尺寸法が決まった複数の仕上面材を並設して施工する仕上面材の施工方法であって、請求項１ないし３のいずれかに記載の仕上面材切断位置罫書具を用いて、既設の前記仕上面材の所定位置に前記位置合せ部を合せるとともに、前記仕上面材を並設する際の障害となる障害物に前記真弧部の複数の前記棒材又は前記板材を押し当てて前記障害物の形状を象ったうえ、前記接続手段を固定し、前記仕上面材切断位置罫書具を移動して、前記位置合せ部を前記仕上面材の一角に合せて前記真弧部に象った形状を前記仕上面材に卦書きし、前記仕上面材の端尺部分を切断することを特徴とする。
【発明の効果】
【００１７】
請求項１〜４に記載の発明によれば、仕上面材の端尺部分の採寸が容易かつ正確に行える。このため、仕上面材の柱廻りや建具廻りなどの複雑な端尺部分の切断位置を熟練工でなくても誰でも簡単に罫書きすることができる。よって、この罫書きに基づいて、仕上面材の端尺部分の切断を、切断を行い易い適切な高さとスペースを確保した場所において誰でも簡単に行うことができる。
【００１８】
特に、請求項２に記載の発明によれば、安価で簡単な構成により、真弧部と位置合せ部との間の長さ調整及び角度調整を容易に行うことができる。
【００１９】
特に、請求項３に記載の発明によれば、スパナやレンチなどの工具を用いずに指で蝶ナットを緩めたり締めたりするだけで、長さ調整及び角度調整を行うことができ、さらに容易に短時間で調整作業を行うことができる。
【００２０】
特に、請求項４に記載の発明によれば、仕上面材の柱廻りや建具廻りなどの複雑な端尺部分の切断位置を熟練工でなくても誰でも簡単に罫書きすることができる。このため、この罫書きに基づいて、仕上面材の端尺部分の切断を、適切な高さとスペースを確保した場所において行うことができ、既に仕上がっている壁面や建具等を損傷するおそれもない。よって、熟練工でなくても誰でも簡単に仕上面材の施工を行うことができる。また、仕上面材の施工の際の切断失敗によるロスを低減することができ、材料費も低減することができる。その上、施工時間の短縮による施工費の低減を達成することができる。
【図面の簡単な説明】
【００２１】
【図１】本発明の実施形態に係る仕上面材切断位置罫書具の全体構成を示す平面図である。
【図２】同上の仕上面材切断位置罫書具の真弧部を示す部分拡大図であり、（ａ）が平面図、（ｂ）が側面図である。
【図３】同上の仕上面材切断位置罫書具の接続手段のプレート本体を示す平面図である。
【図４】同上の接続手段の第１腕部と第２腕部との接合部を示す側面図である。
【図５】本発明の実施形態に係る仕上面材の施工方法の定尺寸法の仕上面材の設置状況を示す平面図である。
【図６】同上の仕上面材の施工方法の端尺の仕上面材の設置状況を示す平面図である。
【図７】同上の仕上面材の施工方法の採寸工程を示す図６の柱廻りを拡大して示す部分拡大平面図である。
【図８】同上の仕上面材の施工方法の罫書工程を示す工程説明図である。
【発明を実施するための形態】
【００２２】
以下、本発明に係る仕上面材切断位置罫書具を実施するための一実施形態について、図面を参照しながら詳細に説明する。
【００２３】
［切断位置罫書具］
先ず、図１〜図４を用いて、本発明の実施形態に係る仕上面材切断位置罫書具１について説明する。図１は、本発明の実施形態に係る仕上面材切断位置罫書具１の全体構成を示す平面図である。
【００２４】
図１に示すように、本発明の実施形態に係る仕上面材切断位置罫書具１は、真弧部２と、位置合せ部３と、これらの真弧部２と位置合せ部３との間を接続する接続手段４など、から構成された仕上面材の端尺部分の切断位置を罫書きするための工具である。
【００２５】
ここで、仕上面材とは、床仕上材や天井仕上材などの建物の室内外の床面や天井面の最表面に設置する定尺寸法が決まった矩形の化粧用の面材を指している。具体的には、床仕上材としては、タイルカーペットやＰタイルなどが挙げられ、天井仕上材としては、ロックウール吸音板（岩綿吸音板）、石膏ボード、羽目板などが挙げられる。
【００２６】
（真弧部２）
図２は、本実施形態に係る仕上面材切断位置罫書具１の真弧部２を示す部分拡大図であり、（ａ）が平面図、（ｂ）が側面図である。図２（ｂ）の右半分は可動スペース２１に棒材２２が挿置されていない状態を示している。図２に示すように、真弧部２は、筐体２０と、この筐体２０に形成された貫通開口である可動スペース２１と、この可動スペース２１に長手方向の両端が突出するように挿置された複数の棒材２２など、から構成されている。
【００２７】
筐体２０は、図２（ａ）、図２（ｂ）に示すように、上下２枚の長方形状の板材２０ａ，２０ｂが、長手方向の両端に介装された一対のスペーサ２０ｃを介して接合された、全体が平面視長方形状の筐体である。
【００２８】
このスペーサ２０ｃは、図２（ｂ）に示すように、角柱状ブロックであり、これらの一対のスペーサ２０ｃ，２０ｃの間が可動スペース２１となっている。つまり、可動スペース２１は、筐体２０の短手方向（水平方向）の両端が開放された水平視長方形（矩形）の貫通孔となっている。
【００２９】
本実施形態に係る棒材２２は、図２（ｂ）に示すように、断面縦長な長方形状の角棒材である。勿論、本発明に係る棒材は、断面円形の丸棒材であっても構わないし、幅の狭い短冊状（長方形状）のプレートからなる板材であっても構わない。しかし、本発明に係る棒材は、障害物の形状を精度よく象るには、水平方向に密、即ち、可動スペース２１の幅方向（筐体２０の長手方向）に狭い部材が、多数設けられている方が好ましい。
【００３０】
また、この棒材２２の高さ（図示せず）は、図２（ｂ）に示すように、可動スペース２１の高さＨ１より若干高く設定されている。このため、棒材２２を可動スペース２１に差し込むことは可能であるが、棒材２２を可動スペース２１内でスライド移動させる際には、摩擦抵抗が掛かるようになっている。
【００３１】
そして、図２（ａ）に示すように、棒材２２の長さＬ１は、可動スペース２１の奥行Ｄ１（板材２０ａ，２０ｂの幅）より長く設定されており、可動スペース２１内で突没自在となっている。このため、棒材２２が障害物に押し付けられると、障害物の壁面に沿って棒材２２が進退動し、前記摩擦抵抗でそのまま障害物の形状が象られて静止・固定されることとなる。
【００３２】
なお、棒材２２の長手方向の両端には、可動スペース２１から棒材２２が抜け落ちてしまないように、可動スペース２１の開口端に掛け止められるように掛止片（図示せず）を設けてもよい。
【００３３】
（位置合せ部）
位置合せ部３は、位置合せを行う際の目印となる部材であり、本実施形態では、図１に示すように、直角３ａを有する平面視Ｌ形のプレート３０から主に構成されている。後述のように、切断位置を罫書く仕上面材から切り取られる角の対角に直角３ａを設置して用いられる。勿論、位置合せを行う際の目印となればよく、平面視Ｌ形に限られない。
【００３４】
（接続手段）
接続手段４は、図１に示すように、第１腕部４ａと、第２腕部４ｂとを備えており、これらの第１腕部４ａの長手方向の一端と、第２腕部４ｂの長手方向の一端とが、スライド自在、かつ角度調整自在に接合部材で軸着されている。また、第１腕部４ａの長手方向の他端は、前述の位置合せ部３に接合部材で軸着され、第２腕部４ｂの長手方向の他端は、真弧部２に接合部材で軸着されている。
【００３５】
図３は、接続手段４の第１腕部（又は第２腕部）の単体を示す平面図であり、図４は、第１腕部４ａと、第２腕部４ｂとの接合部を示す側面図である。第１腕部４ａと第２腕部４ｂは、同一形状の部材であり、図３に示すように、第１腕部４ａ（第２腕部４ｂ）は、帯状の鋼板からなるプレート本体４０を有している。勿論、本発明に係る接続手段は、板材のものに限られず、棒材などから構成してもよい。要するに、本発明に係る接続手段は、仕上面材の大きさに応じた所定の長さを有した二本の部材からなり、それらが真弧部２と位置合せ部３との間を長さ調整自在かつ角度調整自在に接続するものであればよい。
【００３６】
図３に示すように、このプレート本体４０の中央には、長手方向に沿った長孔形状のスリット４１が形成されている。また、プレート本体４０は、帯状の両端部４２が円弧状に形成されている。このため、第１腕部４ａと第２腕部４ｂの端部に鋭利な角がないこととなり、両者をどのような角度で接合しても、動作の邪魔にならず、安全に角度調整を行うことができる。
【００３７】
また、第１腕部４ａと第２腕部４ｂとは、図１、図４に示すように、両者のスリット４１，４１に挿通された接合部材で軸着されている。このように、第１腕部４ａと第２腕部４ｂの長手方向に沿ったスリット４１を介して接合されているため、第１腕部４ａと第２腕部４ｂのいずれもが、スライド自在であり、両者が交わる角度も自在に調整することができる。
【００３８】
本実施形態に接続手段４では、図１、図４に示すように、接合部材は、蝶ボルトＢと六角ナットＮとから構成されるとともに、ワッシャＷも介装されている。勿論、本発明に係る接続手段は、蝶ナットや他のボルト接合、リベット接合、ビス止め等とすることも可能である。しかし、本実施形態のように蝶ボルトＢや蝶ナット等で接合することにより、スパナやレンチなどの工具を用いずに指だけで、接合部材を緩めたり締めたりすることができるため好ましい。
【００３９】
同様に、本実施形態に係る接続手段４では、図１に示すように、第１腕部４ａと位置合せ部３、及び第２腕部４ｂと真弧部２も、蝶ボルトＢと六角ナットＮとがワッシャＷを介して接合されおり、角度調整自在となっている。
【００４０】
なお、本実施形態に接続手段４として、同一平面上で長さ調整や角度調整が可能な二次元的な接続手段を例示して説明したが、第１腕部４ａと第２腕部４ｂとを、三次元ヒンジを用いて高さ調整可能な接続手段とすることも可能である。そうすることで、多少の段差がある場合も障害物の採寸が容易となる。
【００４１】
［仕上面材の施工方法］
次に、図５〜図８を用いて、本発明の実施形態に係る仕上面材の施工方法について説明する。仕上面材として床仕上材であるタイルカーペットを前述の仕上面材切断位置罫書具１を用いて敷設する場合を例示して説明する。図５は、本発明の実施形態に係る仕上面材の施工方法の定尺寸法の仕上面材の設置状況を示す平面図であり、図６は、本発明の実施形態に係る仕上面材の施工方法の端尺の仕上面材の設置状況を示す平面図である。
【００４２】
先ず、本実施形態に係る仕上面材の施工方法では、図５に示すように、従来のタイルカーペットの施工方法と同様に、下地材の上に、接着剤が塗布された定尺寸法が５００ｍｍ角のタイルカーペットＰを敷き並べて貼り付けて行く。なお、下地材は、一般的には、床板やコンクリート（モルタル含む）、又はＯＡフロアなどとなっている。また、定尺寸法がどのようなものであっても本発明を適用することできることはいうまでもない。
【００４３】
このとき、一般には、図５に示すように、タイルカーペットＰの割付は、設計図等から室内の中央から壁などの端に向けて割り付けられる。また、通常、壁際や柱廻り、建具廻り、パイプスペース廻りなどの障害物に接するタイルカーペットＰが、３分の１以下の小片とならないように割り付ける。
【００４４】
そして、図６に示すように、割付において、壁際や柱廻りのなどの障害物と接するタイルカーペットＰ’は、規格通りの定尺寸法のタイルカーペットＰを貼着することができず、障害物に合せて切断した端尺のタイルカーペットＰ’とする必要がある。また、建物は、設計図通りに施工するものの、正確に施工することは困難であり、設計図から割り出した寸法でタイルカーペットＰを切断することはできない。
【００４５】
つまり、計図から割り出した寸法で切断した場合、障害物との間に隙間ができたり、余ってもう一度切断し直したりする必要が生じる。特に、切り過ぎて必要寸法に足りない場合は、その端尺のタイルカーペットＰ’は、廃棄しなければならず、歩掛りが悪化して施工コストが悪化する要因となっていた。
【００４６】
そこで、本実施形態に係る仕上面材の施工方法では、前述の仕上面材切断位置罫書具１を用いて、既設の定尺寸法のタイルカーペットＰの角から切断すべき位置を採寸する採寸工程、及びタイルカーペットＰの裏面（又は表面）に罫書く罫書工程を行う。
【００４７】
（採寸工程）
次に、図７を用いて、本採寸工程について詳細に説明する。図６の破線の斜線で示す、柱廻りの端尺のタイルカーペットＰ’を切断するための寸法を採寸する場合を例示して説明する。図７は、図６の柱廻りを拡大して示す部分拡大平面図である。
【００４８】
本採寸工程では、仕上面材切断位置罫書具１の位置合せ部３を、既に床面に接着した既設の定尺寸法のタイルカーペットＰの角に合せる。そして、接続手段４の蝶ボルトＢを緩め、第１腕部４ａや第２腕部４ｂの角度調整や長さ調整を行って、真弧部２を柱に押し当てる。勿論、位置合せ部３の位置合わせを行う位置は、タイルカーペットＰの出隅の角に限られず、市松模様に貼り付ける場合など、既設のタイルカーペットＰ（Ｐ’）が並設された入隅の角に合せてもよい。要するに、位置合せ部３の位置合わせを行う位置は、仕上面材の割付に応じて適宜定めればよい。
【００４９】
真弧部２を柱に押し当てると、図７に示すように、棒材２２が可動スペース２１内でスライド移動し、柱の形状が真弧部２に象られることになる。そして、接続手段４の蝶ボルトＢを締め、真弧部２と位置合せ部３との位置関係が変動しないように固定する。
【００５０】
（罫書工程）
次に、図８を用いて、本罫書工程について詳細に説明する。図８は、タイルカーペットＰに切断位置を罫書きする状態を示す説明図である。
【００５１】
本罫書工程では、図８に示すように、定尺寸法のタイルカーペットＰの裏面（又は表面）を上にして平らで作業し易い場所に設置し、前工程で柱の形状を象って固定した仕上面材切断位置罫書具１の位置合せ部３を、タイルカーペットＰの一角に合せる。
【００５２】
そして、真弧部２の棒材２２のラインに沿って、図８の一点鎖線で示す切断ラインを罫書きし、斜線部で示す切断部分を切断して切り離し、端尺のタイルカーペットＰ’を作成する。
【００５３】
図示する場合は、図６等の上方の壁際の切断ラインは、前述の採寸工程と罫書工程と同様の工程を繰り返し、上部の切断ラインを罫書きして切断部分を切り離し、端尺のタイルカーペットＰ’を作成する。
【００５４】
その後、作成した端尺のタイルカーペットＰ’を図６の破線部分に接着して本実施形態に係る仕上面材の施工方法が終了する。
【００５５】
以上説明した本発明の実施形態に係る仕上面材切断位置罫書具１及びそれを用いた仕上面材の施工方法によれば、障害物に真弧部２を押し当てるだけで障害物の形状を象ることができる。このため、仕上面材であるタイルカーペットＰの端尺部分の採寸が容易かつ正確に行える。よって、柱廻りや建具廻り、パイプスペース廻りなどの直線ではない複雑な端尺部分のタイルカーペットＰ’の切断位置を熟練工でなくても誰でも簡単に罫書きすることができる。
【００５６】
また、この罫書きに基づいて、タイルカーペットＰの端尺部分の切断を、切断を行い易い適切な高さとスペースを確保した場所に仕上面材切断位置罫書具１を移動して行うことができる。このため、誰でも簡単に正確に切断を行うことができるだけでなく、特許文献３に記載の発明のように、既に仕上がっている壁面や建具等を損傷するおそれもない。
【００５７】
その上、仕上面材切断位置罫書具１は、蝶ボルトＢを緩めたり締めたりするだけで、長さ調整及び角度調整を行うことができ、スパナやレンチなどの工具が不要である。このため、さらに短時間で採寸、罫書き、切断の各作業を行うことができる。
【００５８】
それに加え、タイルカーペットＰの切断失敗によるロスを低減することができ、材料費も低減することができる。その上、施工時間の短縮による施工費の低減を達成することができる。
【００５９】
以上、本発明の実施形態に係る仕上面材切断位置罫書具及びそれを用いた仕上面材の施工方法について詳細に説明した。しかし、前述した又は図示した実施形態は、いずれも本発明を実施するにあたって具体化した一実施形態を示したものに過ぎず、これらによって本発明の技術的範囲が限定的に解釈されてはならないものである。
【００６０】
特に、仕上面材としてタイルカーペットを例示して説明したが、その他、Ｐタイルなどの床仕上材、又はロックウール吸音板（岩綿吸音板）、石膏ボード、羽目板などの天井仕上材に好適に適用することができる。要するに、本発明は、定尺寸法が決まった複数の仕上面材を並設して施工する仕上面材には適用することができる。
【符号の説明】
【００６１】
１：仕上面材切断位置罫書具
２：真弧部
２０：筐体
２０ａ，２０ｂ：板材
２０ｃ：スペーサ
２１：可動スペース
２２：棒材
３：位置合せ部
３０：プレート
４：接続手段
４ａ：第１腕部
４ｂ：第２腕部
４０：プレート本体
４１：スリット
４２：両端部
Ｂ：蝶ボルト（接合部材）
Ｎ：六角ナット（接合部材）
Ｗ：ワッシャ（接合部材）
Ｐ：（定尺寸法の）タイルカーペット（仕上面材）
Ｐ’：（端尺の）タイルカーペット（仕上面材）
【図１】
2019085722.tif 000003
【図２】
2019085722.tif 000004
【図３】
2019085722.tif 000005
【図４】
2019085722.tif 000006
【図５】
2019085722.tif 000007
【図６】
2019085722.tif 000008
【図７】
2019085722.tif 000009
【図８】
2019085722.tif 000010